(57)【要約】【課題】雨天時等に換気用開口を開放状態で降雨の落下を防止しつつ十分な換気を行え、さらに、低コストでメンテナンスも極めて簡単なビニルハウスの換気構造を提供する。【解決手段】ビニルハウス１０の天壁部１４に形成される換気用開口２０部分であって、ビニルハウス１０の内部であり、かつ、該開口の下方に所要の通気空隙を形成しつつ少なくとも鉛直下方に該開口から落下する雨水を受け止め得る水受換気手段２６を設けたことを特徴とするビニルハウスの換気構造から構成される。雨天時等に降雨がハウス内に落下することなく、しかも、梅雨時等の多湿時に換気用開口２０を開放状態で降雨の落下を防止しつつ十分な換気を行える。【選択図】        図２
2004350506.tif 000002
【特許請求の範囲】
【請求項１】
ビニルハウスの天壁部に形成される換気用開口部分であって、
ビニルハウスの内部であり、かつ、該開口の下方に所要の通気空隙を形成しつつ少なくとも鉛直下方に該開口から落下する雨水を受け止め得る水受換気手段を設けたことを特徴とするビニルハウスの換気構造。
【請求項２】
水受換気手段は、少なくとも鉛直下方に該開口から落下する雨水を受け止め得る樋体であって、換気用開口から所要の間隔で鉛直方向に離隔した低位置に吊支された樋体と、
樋体をビニルハウスの構造材に支持させる吊支装置と、を含む請求項１記載のビニルハウスの換気構造。
【請求項３】
樋体は、換気用開口の鉛直方向投影面積よりも大きな受面を有する雨水受板からなり、
迂回した十分大きな通気流路を形成するように、この樋体の複数箇所を線条部材を介して吊支させてなる請求項２記載のビニルハウスの換気構造。
【請求項４】
吊支装置は、樋体とビニルハウスの構造材とを連結する線条部材と、線条部材の一端に接続されてビニルハウスのパイプ構造材の曲成長手方向の任意部分で係着する係着部材と、を含み、
さらに、樋体と、線条部材と、係着部材の接続部分又はそれら自体が横方向を軸とする軸回り方向に回動する枢支部を含むことを特徴とする請求項３記載のビニルハウスの換気構造。
【発明の詳細な説明】
【０００１】
【発明の属する技術分野】
本発明は、農業用のビニルハウスに設置されるビニルハウス内外の換気を行うビニルハウスの換気構造に関する。
【０００２】
【従来の技術】
外国に比較して経営規模が零細なぶん、不時栽培や輪作、多毛作体系を得意とするわが国農業では播種から収穫に至るいずれかの段階で、ほとんどの野菜、果物、花等の温湿度管理と風水からの保護のためにビニルハウス内での栽培管理が行なわれている。一般にビニルハウスは、例えば全長５０ｍ程度の長さにわたり約５ｍ間隔であって幅方向両側に支柱を立てて、さらにそれらの支柱の中間にパイプを立設し、それらにビニルを張架して構築していた。ビニルハウスは、その室内圃場を透明樹脂ビニルで被覆するから、天候状態に左右されることなく風水に対する保護を行なえるものの、室内温度が高くなりすぎやすく雨季には多湿化して病気、害虫、腐朽等を引き起こし易いので、室内外の換気が不可欠である。従来、このビニルハウスの換気のために、図１０に示すように、ビニルを巻き取り棒２００に巻き取り、巻き戻し自在に巻き取らせ、図示しないワイヤ及び巻き取りハンドルを介して該巻き取り棒２００を巻き取り回転させることにより、ビニルハウスのアーチパイプ２０２の円弧部分に沿って所要幅の開口を開閉自在に形成させるものが知られている。
【０００３】
【発明が解決しようとする課題】
しかしながら、図１０の開閉機構を介した開口による換気方法では、雨が近い天候状態のときには常時ハウス近傍に待機して雨が降り出す前に開口を閉鎖する用意が必要であり、ハウスを離れて作業したり用事でハウスを離れることができなかった。開口からの雨の降り込みを放置すると、前記した作物の病気、害虫、腐朽等を生じさせ成果物を反古にする。また、梅雨時期等には開口を閉鎖すると多湿化し、同様に、病害虫の発生の原因をつくるものであった。また、開口の開閉時に雨滴をビニル表面に溜めている場合には開閉操作のたびに開口から直接にハウス内の圃場部分等にも落下して作物に悪影響を及ぼすものであった。さらに、梅雨時期等では空中の露点自体が高くなっているので降雨がなくとも結露がビニルを伝ってハウス内の通路や圃場に落下し、同様の問題を生じさせるおそれがあった。これに対し、上記した雨滴をビニル表面に溜めている場合の開閉操作による開口からのハウス内への雨滴の落下を防止すべく、例えば、特公昭５５−４５６９７号に示すような温室屋根シート開閉装置の移動樋が提案されている。しかしながら、この移動樋は、開口の開閉操作時の単にそのようなビニル表面からハウス内部への雨滴等の直接流下を防止するのみであり、上記したようなビニルハウス近傍での常時作業の必要性、雨天閉鎖時の多湿による病害虫発生のおそれ等の問題は何ら解消されず、それらの問題を有効に解消し得る装置の出現が待望されていた。なお、降雨センサにより降雨を検知して、被覆ビニルの自動開閉を行なう自動開閉装置も提案されているが、高価で零細農家にとっては費用対効果が小さく、低コストでまた、メンテンナンスにもコストや手間がかからない装置が望まれていた。
【特許文献１】特公昭５５−４５６９７号（明細書の特許請求の範囲の欄、第１図及び第２図）
【０００４】
本発明は上記従来の課題に鑑みてなされたものであり、その目的は、ビニルハウスを離れて作業を行なったり、用事でハウスから離れて作業をしても雨天時等に降雨がハウス内に落下することなく、しかも、梅雨時等の多湿時に換気用開口を開口（開放）状態で降雨の落下を防止しつつ十分な換気を行え、さらに、低コストでメンテナンスも極めて簡単なビニルハウスの換気構造を提供することである。
【０００５】
【課題を解決するための手段】
上記目的を達成するために、本発明は、ビニルハウス１０の天壁部１４に形成される換気用開口２０部分であって、ビニルハウスの内部であり、かつ、該開口の下方に所要の通気空隙を形成しつつ少なくとも鉛直下方に該開口から落下する雨水を受け止め得る水受換気手段２６を設けたことを特徴とするビニルハウスの換気構造から構成される。本発明のビニルハウスの換気構造は、例えば、常時開口状態の換気用開口、或はビニル巻き上げ機構等の任意の開口開閉機構により自在に開閉され得る換気用開口等のいずれにも適用される。さらに、換気用開口が形成される位置は、天壁部の任意位置でよく、また天壁部の形状は、アーチ状、三角状、平板状、その他任意の形状でよく、それらの位置、形状に対応して水受換気手段２６を設定して設けると良い。
【０００６】
水受換気手段２６は、少なくとも鉛直下方に該開口から落下する雨水を受け止め得る樋体３０であって、換気用開口２０から所要の間隔で鉛直方向に離隔した低位置に吊支された樋体３０と、樋体３０をビニルハウスの構造材（１８）に支持させる吊支装置３２と、を含むこととしてもよい。樋体３０が換気用開口２０の近傍に吊支装置３２を介して配置させていることから、樋体３０を地面に立設した支柱を介して支持する場合に比べて、樋体３０の真下位置の作業空間を保持でき、ハウス内部での作業の際に邪魔にならないようにすることができる。
【０００７】
また、樋体３０は、換気用開口２０の鉛直方向投影面積よりも大きな受面を有する雨水受板からなり、迂回した十分大きな通気流路Ｒを形成するように、この樋体３０の複数箇所を線条部材３４ａ、３４ｂを介して吊支させてなることとしてもよい。樋体３０の素材は、例えば、アルミニウムやアルミ合金等の耐蝕性の高い金属や、ブリキ等のように薄い鉄板に耐蝕性のメッキ等を施したもの、或は、耐水性のある合成樹脂等、その他任意の板体で形成しても良い。樋体３０の形状は、例えば、断面略く字、Ｌ字、コ字、円弧状等、雨水を流す流路を形成し得るような形状であれば任意で良い。線条部材は、例えば、針金やワイヤ等の金属線条、硬質合成樹脂線条等任意の素材でもよい。線条部材とアーチパイプとの連結は、線条部材の一端を直接連結してもよいが、係着部材３６を介して連結してもよい。樋体と線条部材との連結は、溶接による固定や樋体の一部に線条貫通用の孔を設けて連結してもよく、また、ボルト等の連結部材を介して連結してもよい。
【０００８】
また、吊支装置３２は、樋体３０とビニルハウス１０の構造材（１８）とを連結する線条部材３４ａ、３４ｂと、線条部材３４ａ、３４ｂの一端に接続されてビニルハウス１０のパイプ構造材（１８）の曲成長手方向の任意部分で係着する係着部材３６と、を含み、さらに、樋体３０と、線条部材３４ａ、３４ｂと、係着部材３６の接続部分又はそれら自体が横方向を軸とする軸回り方向に回動する枢支部（４４）を含むことを特徴とすることとしてもよい。係着部材３６の構成は、例えば、パイプの外周に係着する筒状や挟持状の板等を含む任意のクランプ機構等、その他の任意でもよい。係着部材３６と線条部材との接続部分、又は樋体３０と線条部材との接続部分の両方ともに枢着部が設けられていてもよいが、樋体が風等によって揺れにくくするためにいずれかの接続部分を固定接続してもよい。
【０００９】
【発明の実施の形態】
以下、添付図面に基づいて本発明の実施の形態について説明する。図１ないし図６は、本発明の実施の形態を示しており、この実施形態では、例えば、横幅が５ｍで、長さ方向約５０ｍ程度の単棟式のビニルハウスに対して適用した場合の換気構造について説明している。本実施形態のビニルハウス１０は、図１に示すように、地上側から略直角方向に立設された両側壁部１２と、それらの両側壁部の上端側に渡設された天壁部１４と、を備えている。側壁部１２は地上側に設けられた図示しない土台に立設支持されて、例えば一定の間隔毎に離隔して５０ｍ長に渡って、かつそれらが両側に平行に配置される柱パイプ１６と、これらの柱パイプ１６の高さ中間位置と上部側に柱パイプ１６と直交にハウス長手方向に向けて配置される横パイプ１７と、によりその構造材部分が構成されている。一方、天壁部１４は、両側の対向した各柱パイプ１６の上端側に架設された、上に凸状のアーチパイプ１８と、アーチパイプ１８の長手方向の中間位置にアーチパイプと直交にハウス長手方向に向けて配置された桁パイプ１９と、を有している。
【００１０】
このビニルハウス１０の側壁部１２並びに天壁部１４全体は、透明ビニル樹脂（ビニル２１）等により被覆されてビニルハウスの内部が略密閉状に形成されており、また、ビニルハウスの両端壁のいずれか又は両方には図示しない出入口部が設けられている。本実施形態では、図２、図４に示すように、天壁部１４の一つのアーチ終端部と側壁部１２の上端側との接続部分側に、例えば、数十ｃｍないし１ｍの幅で全長５０ｍ方向に渡って換気用開口２０が設けられている。この換気用開口２０は、ビニル２１を巻取り巻戻し自在に巻き上げた巻き取り軸２２を含む巻き上げ機構２４によって開閉自在となっている。巻き上げ機構２４は、例えば、図示しない巻取りハンドル、ワイヤを介して巻き取り軸２２を巻き取り回転させることにより、アーチパイプ１８の曲成に沿って移動し、所要幅の換気用開口２０を開閉自在に形成させる。本実施形態において、ビニルハウスの換気構造は、水受換気手段２６を該換気用開口２０の近傍に設けた構成である。
【００１１】
水受換気手段２６は、ビニルハウス１０の内部であって、かつ、換気用開口２０の下方において十分な通気空隙２８を形成しつつ落下する雨水を受け止める手段であり、特に、垂直方向に落下する雨水は確実に受け止めて端壁側に回収するとともに、換気用開口２０からハウス内部に連通する十分な空隙を形成して、水受と換気とを同時に行うものである。図２、図３において、水受換気手段２６は、少なくとも鉛直下方に該換気用開口２０から落下する雨水を受け止め得る受面部分を有する樋体３０と、この樋体３０を換気用開口２０から所要の間隔で鉛直方向に離隔した低位置に吊支させる吊支装置３２と、を有している。
【００１２】
樋体３０は、図４にも示すように、断面略くの字状でハウスの長手方向に長く形成された耐蝕性の金属受け板からなり、くの字の内側を上方に向けて配置され、屈曲部分が落下して受け止めた雨水等の主流路としている。この樋体３０は、換気用開口２０の鉛直方向投影面積よりも大きな受面を有しており、少なくとも鉛直方向に換気用開口２０から落下する雨水をハウスの圃場に落下する前に受け止める。すなわち、本実施形態では、樋体３０の受面の横幅Ｌが、換気用開口２０の最大開口横幅Ｍより大きく設定されかつ、樋体の横幅Ｌの鉛直範囲内に開口横幅Ｍがおさまるように設定されている。樋体３０は、例えば、長手方向に２ｍ程度の長さの樋体を複数個用意し、例えば、継ぎ手部材３１等（図３参照）を介してコーキング等によって水密性を取りながらビニルハウスの長手方向に沿って連結して、ビニルハウス一端から他端まで連続して一体的に長く形成される。樋体３０は、長手方向の一端側を高くして他端側を低くするように傾斜させたり、或は、樋体３０の長手方向の中間位置を高くして両端側を低くするように傾斜させて設けると、受け止めた雨水をハウス端壁側に向けて良好に流して排水し得る。
【００１３】
吊支装置３２は、樋体３０を換気用開口２０から低い位置に離して吊支させ、その離した分の天壁部１４と樋体３０との間隙を通気空隙２８とさせるように樋体３０を吊支する手段である。本実施形態において、吊支装置３２は、樋体３０とアーチパイプ１８とを連結する線条部材３４ａ、３４ｂと、線条部材３４ａ、３４ｂの一端側に接続されてアーチパイプ１８と係着する係着部材３６と、を備えている。線条部材３４ａ、３４ｂは、図４に示すように、鉛直下方から、横方向（図上、左方）に迂回した十分大きな通気流路Ｒを形成するように樋体３０を吊支している。図３、図４において、線条部材３４ａ、３４ｂは、例えば、アーチパイプ１８の低位置側に樋体の短辺側を近接しつつ対向するように配置させるとともに、同アーチパイプ１８の高位置側に樋体の長辺側を対向させるように配置させた状態で、それぞれ樋体の短辺側とアーチパイプ１８の低位置側とを第１線条部材３４ａで連結接続させるとともに、長辺側とアーチパイプ１８の上位部分とを第２線条部材３４ｂで連結接続させて吊支している。第１、第２線条部材３４ａ、３４ｂは、例えば、細長い金属線条からなり、一端側が樋体３０にそれぞれ固定されるとともに、他端側は係着部材３６と横軸回りに回動し得るように枢支連結されている。
【００１４】
係着部材３６は、図５に示すように、アーチパイプ１８の外周側に装着し得る筒状部３８と、該筒状部に連設された２つの平行固定板４０と、それらの平行固定板４０をねじ込み貫通した蝶ボルト４２と、を有する連結具からなる。係着部材３６は、蝶ボルト４２を螺進させることによって平行固定板４０が互いに近接し、筒状部３８がアーチパイプ１８をクランプ状に固定状態とする。一方、逆に蝶ボルトを回すと平行固定板４０が互いに離隔し、筒状部が弛緩し、アーチパイプの長手方向に沿って遊嵌状に移動し得る。係着部材３６は、その蝶ボルト４２のボルト軸が、アーチパイプ１８の長手方向と略直交するように横方向に向けて配置されており、例えば、線条部材３４ａ、３４ｂの一端側をリング形状に加工して、リング状の部分に該蝶ボルトを貫通させるようにすることによって、横方向を軸として軸回り方向に線条部材３４ａ、３４ｂが回動し得るようになっている。本実施形態において、係着部材３６の各々にこれらの枢支部が形成されるような係着部材構成となっている。なお、図６に示すように、係着部材３６のアーチパイプとの係着の部分を、２つの円弧板部３９の内面を対向させた２分割構成とし、平行固定板４０を貫通する蝶ボルト４２をねじ回しして平行固定板とともに円弧板部を挟持状に近接離間させて該パイプに係着させるようにしても良い。
【００１５】
さらに本実施形態においては、図７に示すように、第２線条部材３４ｂの中間位置にも、該線条部材３４ｂを分割してそれぞれの分割線条が相互に枢着回動し得るような枢着部４４が設けられている。この枢着部４４は、例えば、係着部材３６のボルト軸に平行な横方向の支軸を有し、分割線条の各々の一端側をリング形状に加工した部分に該支軸を貫通させるようにすることによって、横方向を軸として軸回りに分割線条同士が相互に回動し得る。これにより、図４に示すように、樋体３０のくの字の短辺側の係着部材３６をアーチパイプ１８の低位置側に係止させた状態で、樋体３０のくの字の長尺側の係着部材３６をアーチパイプの長手方向に沿ってその係着位置を設定でき、アーチパイプ１８への樋体３０の吊支作業を円滑かつ確実に行うことができる。なお、各線条部材３４ａ、３４ｂと樋体との接続部分に枢支構成を設けてもよく、上記同様に樋体の吊支作業が行いやすい等の作用効果を得ることができる。
【００１６】
次に、本実施形態にかかるビニルハウスの換気構造の作用について説明する。図１、図２、図４に示すように、天壁部に換気用開口２０を有した単棟式のビニルハウスを構築した後（又は既設のビニルハウスでもよい）、例えば、２ｍ程度の長さの樋体を複数個用意し、該樋体をビニルハウス１０の内部側の換気用開口２０の近傍位置であって、該換気用開口２０から所要の間隔で鉛直方向に離隔した低位置に吊支装置３２の線条部材３４ａ、３４ｂを介してアーチパイプ１８のに吊支する。この際、樋体をビニルハウスの長手方向に一体的に連結しながら連続的な樋体３０を形成していく。この樋体３０の吊支作業の際には、線条部材３４ａ、３４ｂがアーチパイプ１８との係着部材３６とそれぞれ回動自在に接続されており、また、樋体の長辺側を吊支している第２線条部材３４ｂの中間位置に枢着部が設けられていることから、円滑かつ確実に行うことができる。必要に応じて巻き上げ機構２４を介して換気用開口２０を開閉する際にも樋体や吊支装置３２が邪魔になることなくスムーズに開閉することができる。樋体３０を上記のように吊支することにより、換気用開口への迂回した通気流路Ｒが形成され、ハウス内部で発生した熱気及び湿気は、換気用開口２０を介して良好に換気される。そして、降雨の際には、換気用開口２０を閉鎖することなく開放状態のままで良く、換気用開口２０からハウス内部に落下してくる雨水は、特に鉛直下方に落下する雨水は確実に樋体３０によって受け止めてハウス端部側に集められ、ハウス圃場への雨水の落下を防止する。よって、作業者が常にハウス近傍に待機しておく必要がなく、ハウスから離れて作業することができるとともに、天気の善し悪しによる換気用開口の開閉作業の回数が激減し作業者の労力が軽減する。特に、梅雨時等の多湿時には、換気用開口２０を開放状態で雨水の圃場への落下を防止しつつ換気を行える。さらに、樋体３０は、ハウス内部の蒸気によりの天壁部で生じる結露が換気用開口の縁から落下するのをも受け止めることができる。
【００１７】
次に、図８、図９は、本発明のビニルハウスの換気構造を、例えば、連棟式のビニルハウス１００に適用した実施形態について説明しており、上記実施形態と同一部材には同一符号を付しその詳細な説明を省略する。図９に示すように、連棟式のビニルハウス１００は、例えば、幅方向に互いに内部を連通するように２列以上の棟を並設されている。連棟式ビニルハウス１００は、一番端に位置する棟の外側に立設形成される側壁部１０２と、棟と棟の間毎に地面から立設した支柱１０４により側壁部１０２と平行で水平に支持された桁部材１０６と、各棟毎に桁部材間及び側壁部上端と桁部材に渡設された天壁部１０８と、を有している。天壁部１０８は、各棟ごとに桁部材間に架設されて、桁部材の長手方向に一定間隔で離隔して配置されたアーチパイプ１８を有している。アーチパイプ１８は、図８にも示すように，その端部をそれぞれ桁部材１０６又は側壁部１０２の柱パイプ１０５の上端に固定されており、天壁部１０８の構成材となっている。ビニルハウスの側壁部、天壁部、及び出入り口が設けられる両端部全体がビニル樹脂等に被覆されて、ハウス内部は略密閉状に密閉されている。本実施形態では、天壁部の各棟間の谷間Ｖ側に、換気用開口２０が設けられており、巻き取り軸２２を含む巻き上げ機構により該開口が開閉自在に形成されている。本実施形態では、巻き取り軸２２の一端側は軸駆動装置１１０に連結されており、巻き取り軸２２は、軸駆動装置を介して正逆回転して、ビニルを巻き取り、巻き戻しして開口を開閉する。図８に示すように、これらの各換気用開口２０の下方に上記同様に、樋体３０が線条部材３４ａ、３４ｂを介してアーチパイプ１８に吊支されて、換気構造が構成される。これにより、連棟式のビニルハウスの換気構造においても、換気用開口２０の開口状態で雨水のハウス圃場への落下を防止しつつ換気を行える等の上記同様の作用効果を得ることができる。
【００１８】
以上説明した本発明のビニルハウスの換気構造は、上記した実施の形態にのみ限定されるものではなく、特許請求の範囲に記載した発明の本質を逸脱しない範囲の変形も本発明に含まれる。
【００１９】
【発明の効果】
上記したように本発明のビニルハウスの換気構造によれば、ビニルハウスの天壁部に形成される換気用開口部分であって、ビニルハウスの内部であり、かつ、該開口の下方に所要の通気空隙を形成しつつ少なくとも鉛直下方に該開口から落下する雨水を受け止め得る水受換気手段を設けたことを特徴とするビニルハウスの換気構造から構成されることにより、ビニルハウスを離れて作業を行なったり、用事でハウスから離れて作業をしても雨天時等に降雨がハウス内に落下することなく作物の病害、虫害等を良好に防止でき、特に、梅雨等の多湿時に換気用開口を開放して降雨のハウス圃場への落下を防止しつつ良好に換気を行える。また、換気用開口が開閉できる構成の場合には、開口の開閉作業の回数が激減し作業者の労力を軽減し得る。さらに、既設のビニルハウスに後付け的に水受換気手段を装着して構成できるので、低コストで構築できる。
【００２０】
水受換気手段は、少なくとも鉛直下方に該開口から落下する雨水を受け止め得る樋体であって、換気用開口から所要の間隔で鉛直方向に離隔した低位置に吊支された樋体と、樋体をビニルハウスの構造材に支持させる吊支装置と、を含む構成とすることにより、水受換気手段の構成を具体的に実現し、簡単な構造で低コストで容易に製造できるとともにメンテナンスも簡単に行える。
【００２１】
樋体は、換気用開口の鉛直方向投影面積よりも大きな受面を有する雨水受板からなり、迂回した十分大きな通気流路を形成するように、この樋体の複数箇所を線条部材を介して吊支させてなる構成とすることにより、少なくとも鉛直方向に落下する雨水及び、ビニルハウスの天壁に結露して換気用開口縁から落下する水滴をを確実に受け止めるとともに、十分な換気を行え、作物の病害、虫害等を良好に防止できる。
【００２２】
吊支装置は、樋体とビニルハウスの構造材とを連結する線条部材と、線条部材の一端に接続されてビニルハウスのパイプ構造材の曲成長手方向の任意部分で係着する係着部材と、を含み、さらに、樋体と、線条部材と、係着部材の接続部分又はそれら自体が横方向を軸とする軸回り方向に回動する枢支部を含む構成とすることにより、所要箇所への樋体の吊支作業を円滑かつ確実に行うことができるとともに、メンテナンスも簡単に行える。
【図面の簡単な説明】
【図１】本発明の実施形態に係るビニルハウスの換気構造を適用したビニルハウスの概略説明図である。
【図２】図１の換気構造の換気用開口部分の拡大斜視説明図である。
【図３】水受換気手段の斜視説明図である。
【図４】換気用開口部分の縦断面説明図である。
【図５】係着部材の詳細説明図である。
【図６】係着部材の他の形態の説明図である。
【図７】樋体、線条部材、係着部材の作用説明図である。
【図８】本発明のビニルハウスの換気構造を連棟式のビニルハウスに適用した実施形態の概略内部説明図である。
【図９】連棟式のビニルハウスの概略斜視説明図である。
【図１０】従来のビニルハウスの換気構造の開口部分の説明図である。
【符号の説明】
１０  ビニルハウス
１４  天壁部
１８  アーチパイプ
２０  換気用開口
２６  水受換気手段
３０  樋体
３２  吊支装置
３６  係着部材
４４  枢着部
【図１】
2004350506.tif 000003
【図２】
2004350506.tif 000004
【図３】
2004350506.tif 000005
【図４】
2004350506.tif 000006
【図５】
2004350506.tif 000007
【図６】
2004350506.tif 000008
【図７】
2004350506.tif 000009
【図８】
2004350506.tif 000010
【図９】
2004350506.tif 000011
【図１０】
2004350506.tif 000012